(57)【要約】車両のセパレートハンドルにおいて、車両を大型化することなく、軽量化を図れるような構成を得る。右ハンドル２３は、筒部３３と、右ハンドルバー部２５と、ハンドルバー連結部３４とを備える。筒部３３は、筒部３３を周方向に分断するとともに、筒部をステアリングシャフトに固定可能なように筒部３３の周方向への弾性変形を許容する少なくとも一つのスリット部３２を有し、軸方向よりも周方向に高い強度を有するように複数の繊維シートが径方向に積層された状態で樹脂によって結合された繊維強化樹脂によって構成されている。ハンドルバー連結部３４は、複数の繊維シートが、右ハンドルバー部２５が連結される部分と筒部３３が連結される部分とを結ぶ仮想線４０に対して垂直な方向に積層された状態で、樹脂によって結合された繊維強化樹脂を含む。
2018221223.tif 000002
【特許請求の範囲】
【請求項１】
鞍乗型車両の操舵機構に直接または間接的に固定されるセパレートハンドルであって、
軸方向に延びる筒状であり、前記操舵機構の軸部が挿通した状態で前記操舵機構に直接または間接的に固定される筒部と、
グリップ部が設けられるハンドルバー部と、
前記ハンドルバー部における長手方向の一方の端部が接続されるハンドルバー取付部と、
前記筒部と前記ハンドルバー取付部とを連結するハンドルバー連結部と、
を備え、
前記筒部及び前記ハンドルバー連結部は、積層された状態で樹脂によって結合された複数の繊維シートを含み、
前記筒部は、
前記筒部を周方向に分断するとともに、前記筒部を前記操舵機構の軸部に固定可能なように前記筒部の周方向への弾性変形を許容する少なくとも一つのスリット部を有し、
前記軸方向よりも前記周方向に高い強度を有するように前記複数の繊維シートが径方向に積層された状態で樹脂によって結合された繊維強化樹脂によって構成されていて、
前記ハンドルバー連結部は、
前記複数の繊維シートが、前記ハンドルバー部が連結される部分と前記筒部が連結される部分とを結ぶ仮想線に対して垂直な方向に積層された状態で、樹脂によって結合された繊維強化樹脂を含む、セパレートハンドル。
【請求項２】
請求項１に記載のセパレートハンドルにおいて、
前記筒部は、
筒状の筒本体部と、
前記周方向における前記スリット部の左方及び右方に、前記筒本体部の外周面から突出する一対の締結部と、
を有し、
前記一対の締結部のうち一方は、締結部材と締結可能な被締結部材を有し、
前記被締結部材は、前記筒部を構成する前記繊維強化樹脂に含まれる前記複数の繊維シートによって巻かれた状態で、樹脂によって前記筒部に結合されている、セパレートハンドル。
【請求項３】
請求項１に記載のセパレートハンドルにおいて、
前記ハンドルバー連結部は、前記筒部から前記軸方向に突出している、セパレートハンドル。
【請求項４】
請求項１から３のいずれか一つに記載のセパレートハンドルにおいて、
前記ハンドルバー連結部は、中実である、セパレートハンドル。
【請求項５】
請求項１から３のいずれか一つに記載のセパレートハンドルにおいて、
前記ハンドルバー連結部は、中空である、セパレートハンドル。
【請求項６】
請求項１から３のいずれか一つに記載のセパレートハンドルにおいて、
前記ハンドルバー連結部は、内部に多面体構造体または気泡体構造体を有する、セパレートハンドル。
【請求項７】
請求項１から６のいずれか一つに記載のセパレートハンドルにおいて、
前記ハンドルバー部は、前記ハンドルバー連結部とは別体である、セパレートハンドル。
【請求項８】
請求項１から６のいずれか一つに記載のセパレートハンドルにおいて、
前記ハンドルバー部は、前記ハンドルバー連結部とは一体である、セパレートハンドル。
【請求項９】
請求項１から８のいずれか一つに記載のセパレートハンドルにおいて、
前記ハンドルバー部は、前記ハンドルバー部に対する取付部品の取り付け位置において、少なくとも一部が中実である、セパレートハンドル。
【請求項１０】
請求項１から８のいずれか一つに記載のセパレートハンドルにおいて、
前記ハンドルバー部は、前記ハンドルバー部に対する取付部品の取り付け位置以外において、少なくとも一部が中空である、セパレートハンドル。
【請求項１１】
請求項１から１０のいずれか一つに記載のセパレートハンドルにおいて、
前記積層された状態で樹脂によって結合される複数の繊維シートは、カーボン、ガラス樹脂、アラミドのいずれかによって構成された繊維を含む、セパレートハンドル。
【発明の詳細な説明】
【技術分野】
【０００１】
本発明は、車両のセパレートハンドルに関する。
【背景技術】
【０００２】
セパレート形のハンドルを支持するハンドル支持構造として、フロントフォークに嵌合されたハンドルホルダにハンドルバーが支持された構造が知られている。具体的には、このようなハンドル支持構造として、ハンドルホルダが、割り溝によって弾性変形可能に形成されたベース部と、ハンドルバーを保持するホールド部と、前記ホールド部を前記ベース部に連結する複数のアーム部とを備えた構成が知られている（特許文献１）。この構成では、複数のアーム部が、前記ベース部の周方向に離間して配置されている。【０００３】
前記特許文献１に開示されている構成では、前記複数のアーム部が前記ホールド部を介して前記ハンドルバーを支持することにより、前記ベース部の剛性を低く保つことができる。これにより、前記ベース部における前記割り溝周辺の部分の弾性変形が許容される。よって、締結部材の締付け力によってベース部が弾性変形することにより、ハンドルホルダがフロントフォークの外周部に締結される。
【先行技術文献】
【特許文献】
【０００４】
【特許文献１】特開２０１２―７６４８４号公報
【発明の概要】
【発明が解決しようとする課題】
【０００５】
ところで、上述の特許文献１に開示されている車両のハンドル支持構造では、ベース部（筒部）に金属が用いられている。そのため、セパレート形のハンドル（セパレートハンドル）を備えた車体の重量は重い。これに対し、車体の軽量化を図りたいという要求がある。【０００６】
本発明は、車両のセパレートハンドルにおいて、軽量化を図れる構成を得ることを目的とする。
【課題を解決するための手段】
【０００７】
本発明者らは、特許文献１に開示されるような従来のハンドル支持構造について詳細に検討した。【０００８】
前記特許文献１に開示されているような従来のハンドル支持構造では、筒部に金属が用いられている。そのため、ハンドル支持構造の剛性を高めようとした場合、前記ハンドル支持構造が弾性変形を生じにくくなる。また、ハンドル支持構造を樹脂によって構成しつつ十分な強度を確保しようとした場合、ハンドル支持構造が大型化する。そのため、車両が大型化する。【０００９】
車両を大型化することなく、車体の軽量化を図るためには、以下のような手法が考えられる。たとえば、繊維強化樹脂の特性を利用して、ハンドル支持構造の筒部に繊維強化樹脂を採用することが考えられる。【００１０】
上述のハンドル支持構造では、前記筒部は、弾性変形した状態でフロントフォークの外周部に固定されている。そのため、前記筒部には、常に周方向に引張応力（ｔｅｎｓｉｌｅ  ｓｔｒｅｓｓ）が加わっている。【００１１】
また、前記ハンドル支持構造では、例えばブレーキ操作によって左右のハンドルバー部に同位相の入力が加わった際に、前記筒部に対して、ハンドルバーを保持するホールド部を中心に車両前方または車両後方に回転する力が加わる。このような回転力によって、前記筒部には周方向に引張応力が生じる。そのため、前記筒部には、ブレーキ操作時等に生じる引張応力に対する強度が要求される。【００１２】
上述のような検討結果に基づいて、本発明者らは、以下のような構成に想到した。【００１３】
本発明の一実施形態に係るセパレートハンドルは、鞍乗型車両の操舵機構に直接的または間接的に固定されるセパレートハンドルである。このセパレートハンドルは、軸方向に延びる筒状であり、前記操舵機構の軸部が挿通した状態で前記操舵機構に直接または間接的に固定される筒部（ａ  ｃｙｌｉｎｄｅｒ  ｐｏｒｔｉｏｎ）と、グリップ部が設けられるハンドルバー部（ａ  ｈａｎｄｌｅｂａｒ  ｐｏｒｔｉｏｎ）と、前記ハンドルバー部における長手方向の一方の端部が接続されるハンドルバー取付部と、前記筒部と前記ハンドルバー取付部とを連結するハンドルバー連結部（ａ  ｈａｎｄｌｅｂａｒ  ｃｏｎｎｅｃｔｉｎｇ  ｐｏｒｔｉｏｎ）と、を備える。前記筒部及び前記ハンドルバー連結部は、積層された状態で樹脂によって結合された複数の繊維シートを含み、前記筒部は、前記筒部を周方向に分断するとともに、前記筒部を前記操舵機構の軸部に固定可能なように前記筒部の周方向への弾性変形を許容する少なくとも一つのスリット部を有する。前記筒部は、前記軸方向よりも前記周方向に高い強度を有するように前記複数の繊維シートが径方向に積層された状態で樹脂によって結合された繊維強化樹脂によって構成されている。前記ハンドルバー連結部は、前記複数の繊維シートが、前記ハンドルバー部が連結される部分と前記筒部が連結される部分とを結ぶ仮想線に対して垂直な方向に積層された状態で、樹脂によって結合された繊維強化樹脂を含む。【００１４】
このように、セパレートハンドルの筒部において、繊維を含む複数の繊維シートを前記筒部の径方向に積層することにより、前記筒部の周方向の強度を向上することができる。【００１５】
また、前記筒部とハンドルバー部とを連結するハンドルバー連結部において、前記ハンドルバー部が連結される部分と前記筒部が連結される部分とを結ぶ仮想線に対して垂直な方向に繊維シートを積層することにより、前記仮想線が延びる方向の強度を向上することができる。前記ハンドルバー連結部において、前記ハンドルバー部に力が入力された場合、前記ハンドルバー連結部に曲げ応力が生じる。前記ハンドルバー連結部において、繊維シートが上述のように積層されることにより、前記ハンドルバー連結部の曲げ方向の強度を向上することができる。【００１６】
したがって、前記ハンドルバー部への力の入力によってハンドルバー取付部を中心に前記ハンドルバー連結部に発生する曲げ応力に対してセパレートハンドルの強度を確保しつつ、前記筒部が金属材料によって構成された従来の構成に比べてセパレートハンドルの軽量化を図ることができる。【００１７】
本発明の一実施形態に係るセパレートハンドルにおいて、前記筒部は、筒状の筒本体部と、前記周方向における前記スリット部の右方及び左方に、前記筒本体部の外周面から突出する一対の締結部と、を有していてもよい。前記一対の締結部のうち一方は、締結部材と締結可能な被締結部材を有していてもよい。前記被締結部材は、前記筒部を構成する前記繊維強化樹脂に含まれる複数の繊維シートによって巻かれた状態で、樹脂によって前記筒部に結合されていてもよい。【００１８】
このように、筒部における一対の締結部のうち一方に被締結部材が含まれることにより、締結部材によって前記一対の締結部を締結した際に締結面がクリープ（ｃｒｅｅｐ）することによって生じる、締結力の低下を防止することができる。【００１９】
すなわち、繊維シートが樹脂によって結合された繊維強化樹脂によって筒部が構成されているため、該筒部における一対の締結部を締結部材によって締結した場合、前記締結部の締結面がクリープする可能性がある。これに対し、上述のように、前記一対の締結部のうち一方に前記被締結部材を設けることにより、前記被締結部材に前記締結部材を締結した際に、前記締結面がクリープすることを防止できる。【００２０】
これにより、前記締結部材によって前記一対の締結部を締結した際に、締結力が低下することを防止できる。【００２１】
また、前記被締結部材が、前記筒部を構成する前記繊維強化樹脂に含まれる複数の繊維シートによって巻かれた状態で、樹脂によって前記筒部に結合されることにより、前記一対の締結部と筒本体部との接続部分の強度を向上できる。これにより、前記被締結部材に対して前記締結部材を締結した際に、前記一対の締結部と前記筒本体部との接続部分に生じる応力によって、前記接続部分の構造が変化することを防止できる。【００２２】
本発明の一実施形態に係るセパレートハンドルにおいて、前記ハンドルバー連結部は、前記筒部から前記軸方向に突出していてもよい。【００２３】
このように、操舵軸に対して筒部で固定されるセパレートハンドルにおいて、ハンドルバー連結部を、前記筒部から軸方向に突出させることにより、グリップ部の位置の設計自由度を高めることができる。【００２４】
本発明の一実施形態に係るセパレートハンドルにおいて、前記ハンドルバー連結部は、中実であってもよい。【００２５】
このようにハンドルバー連結部の内部を中実にすることにより、前記ハンドルバー連結部の剛性を高めることができる。【００２６】
本発明の一実施形態に係るセパレートハンドルにおいて、前記ハンドルバー連結部は、中空であってもよい。【００２７】
このようにハンドルバー連結部の内部を中空にすることにより、前記ハンドルバー連結部が中実に形成された構成に対して、セパレートハンドルの軽量化を図ることができる。【００２８】
本発明の一実施形態に係るセパレートハンドルにおいて、前記ハンドルバー連結部は、内部に多面体構造体または気泡体構造体を有していてもよい。【００２９】
このようにハンドルバー連結部が内部に多面体構造体または気泡体構造体を有することにより、前記ハンドルバー連結部の剛性を確保しつつ、ハンドルの軽量化を図ることができる。【００３０】
本発明の一実施形態に係るセパレートハンドルにおいて、前記ハンドルバー部は、前記ハンドルバー連結部とは別体であってもよい。【００３１】
本発明の一実施形態に係るセパレートハンドルにおいて、前記ハンドルバー部は、前記ハンドルバー連結部とは一体であってもよい。【００３２】
本発明の一実施形態に係るセパレートハンドルにおいて、前記ハンドルバー部は、該ハンドルバー部に対する取付部品の取り付け位置において、少なくとも一部が中実であってもよい。【００３３】
このように、ハンドルバー部の取付部品の取り付け位置において、前記ハンドルバー部の少なくとも一部を中実にすることにより、前記取り付け位置における前記ハンドルバー部の強度を高めることができる。【００３４】
本発明の一実施形態に係るセパレートハンドルにおいて、前記ハンドルバー部は、該ハンドルバー部に対する取付部品の取り付け位置以外において、少なくとも一部が中空であってもよい。【００３５】
このように、ハンドルバー部の取付部品の取り付け位置以外の部分において、前記ハンドルバー部の少なくとも一部を中空にすることにより、前記取り付け位置における前記ハンドルバー部の強度を確保しつつ、セパレートハンドルの軽量化を図ることができる。【００３６】
本発明の一実施形態に係るセパレートハンドルにおいて、前記積層された状態で樹脂によって結合された複数の繊維シートは、カーボン、ガラス樹脂、アラミドのいずれかによって構成された繊維を含んでいてもよい。【００３７】
これにより、セパレートハンドルの強度を確保しつつ、筒部が金属材料によって構成された従来の構成に比べてセパレートハンドルの軽量化を図ることができる。また、繊維シートとしてアラミド繊維を用いることにより、セパレートハンドルの少なくとも一部が欠損することをより確実に防止することができる。【００３８】
本明細書で使用される専門用語は、特定の実施例のみを定義する目的で使用されるのであって、前記専門用語によって発明を制限する意図はない。【００３９】
本明細書で使用される用語「および/または」は、１つまたは複数の関連して列挙された構成物のすべての組み合わせを含む。【００４０】
本明細書中において、用語「含む、備える（ｉｎｃｌｕｄｉｎｇ）」「含む、備える（ｃｏｍｐｒｉｓｉｎｇ）」または「有する（ｈａｖｉｎｇ）」およびそれらの変形の使用は、記載された特徴、工程、要素、成分および／またはそれらの等価物の存在を特定するが、ステップ、動作、要素、コンポーネント、および／または、それらのグループのうちの１つまたは複数を含むことができる。【００４１】
本明細書中において、用語「取り付けられた」、「接続された」、「結合された」、および／または、それらの等価物は、広義の意味で使用され、“直接的および間接的な”取り付け、接続および結合の両方を包含する。さらに、「接続された」および「結合された」は、物理的または機械的な接続または結合に限定されず、直接的または間接的な接続または結合を含むことができる。【００４２】
他に定義されない限り、本明細書で使用される全ての用語（技術用語および科学用語を含む）は、本発明が属する当業者によって一般的に理解される意味と同じ意味を有する。【００４３】
一般的に使用される辞書に定義された用語は、関連する技術および本開示の文脈における意味と一致する意味を有すると解釈されるべきであり、本明細書で明示的に定義されていない限り、理想的または過度に形式的な意味で解釈されることはない。【００４４】
本発明の説明においては、いくつもの技術および工程が開示されていると理解される。これらの各々は、個別の利益を有し、他に開示された技術の１つ以上、または、場合によっては全てとともに使用することもできる。【００４５】
したがって、明確にするために、本発明の説明では、不要に個々のステップの可能な組み合わせを全て繰り返すことを控える。【００４６】
しかしながら、明細書および特許請求の範囲は、そのような組み合わせが全て本発明の範囲内であることを理解して読まれるべきである。【００４７】
本明細書では、セパレートハンドルの実施形態について説明する。【００４８】
以下の説明では、本発明の完全な理解を提供するために多数の具体的な例を述べる。しかしながら、当業者には、これらの具体的な例がなくても本発明を実施できることが明らかである。【００４９】
よって、以下の開示は、本発明の例示として考慮されるべきであり、本発明を以下の図面または説明によって示される特定の実施形態に限定することを意図するものではない。【００５０】
［鞍乗型車両の定義］
本明細書において、鞍乗型車両とは、乗員がシートを跨いだ状態で該シートに着座する車両である。よって、前記鞍乗型車両は、二輪車はもちろんのこと、乗員がシートを跨いだ状態で該シートに着座する車両であれば、三輪車及び四輪車など、他の車両も含む。また、前記鞍乗型車両は、スクータータイプの車両も含む。【００５１】
［ハンドルバーの一端部及び他端部の定義］
ハンドルバーを長手方向の中央で二分した場合に、ハンドルバーにおける長手方向の一方の端部が一端部であり、ハンドルバーにおける長手方向の他方の端部が他端部である。【００５２】
［操舵機構に直接的または間接的に支持の定義］
本明細書において、操舵機構に直接的または間接的に支持とは、前記操舵機構に対して直接、接続または連結されている場合だけでなく、前記操舵機構に対して他の部材を介して接続または連結されている場合も含む。【００５３】
［クリープの定義］
通常、物体に一定の荷重を加えた場合、それ以上変形しないところで物体の変形が止まるが、一定の荷重を物体にさらに加え続けることにより、物体の変形が時間とともに徐々に進行する場合がある。本明細書では、このような現象をクリープ（ｃｒｅｅｐ）という。クリープは、樹脂の場合、常温下で発生することが知られている。
【発明の効果】
【００５４】
本発明の一実施形態に係るセパレートハンドルによれば、軽量化を図れる構成が得られる。
【図面の簡単な説明】
【００５５】
【図１】図１は、本発明の一実施形態に係るセパレートハンドルを備えた自動二輪車の概略構成を示す左側面図である。
【図２】図２は、本発明の一実施形態に係るセパレートハンドルを備えた自動二輪車の概略構成を示す平面図である。
【図３】図３は、実施形態１における左ハンドルユニットの概略構成を示す模式図である。
【図４】図４は、実施形態１における右ハンドルユニットの概略構成を示す模式図である。
【図５】図５は、実施形態１におけるセパレートハンドルを車体の上方且つ後方から見た斜視図である。
【図６】図６は、実施形態１におけるセパレートハンドルをフロントフォークに取り付けた状態を上方且つ後方から見た斜視図である。
【図７】図７は、実施形態２におけるセパレートハンドルを車体の上方且つ後方から見た斜視図である。
【図８】図８は、図５におけるＶＩＩＩ−ＶＩＩＩ線端面図である。
【図９】図９は、実施形態３におけるセパレートハンドルをフロントフォークに取り付けた状態を車体の後方から見た模式図である。
【図１０】図１０は、車両及びセパレートハンドルの概略構成及びセパレートハンドルの締結部の概略構成をそれぞれ示す図である。
【発明を実施するための形態】
【００５６】
以下で、各実施形態について、図面を参照しながら説明する。各図において、同一部分には同一の符号を付して、その同一部分の説明は繰り返さない。なお、各図中の構成部材の寸法は、実際の構成部材の寸法及び各構成部材の寸法比率等を忠実に表したものではない。
【００５７】
以下、図中の矢印Ｆは、車両の前方向を示す。図中の矢印Ｕは、車両の上方向を示す。図中の矢印Ｒは、車両の右方向を示す。図中の矢印Ｌは、車両の左方向を示す。また、前後左右の方向は、それぞれ、車両を運転する乗員から見た場合の前後左右の方向を意味する。
【００５８】
（実施形態１）
＜全体構成＞
図１は、実施形態１に係る車両１の全体構成の概略を示す左側面図である。図２は、車両１の概略構成を示す平面図である。図１及び図２に示すように、車両１は、例えば自動二輪車などの鞍乗型車両であり、車体２と、前輪３と、後輪４とを備える。本実施形態の車両１は、例えば、傾斜姿勢で旋回する傾斜車両である。すなわち、車両１は、左方向に旋回する際に左方向に傾斜し、右方向に旋回する際に右方向に傾斜する。
【００５９】
車体２は、メインフレーム５と、ヘッドパイプ６と、スイングアーム７と、シート８と、フートレスト９とを備える。
【００６０】
ヘッドパイプ６は、メインフレーム５の前端部に設けられている。ヘッドパイプ６には、図示しないステアリングシャフトを介して一対のフロントフォーク１０（軸部）が回動自在に支持されている。一対のフロントフォーク１０の下端部には、前輪３が回動自在に取り付けられている。一対のフロントフォーク１０の上端部には、それぞれ、操向用の左ハンドルユニット２０および右ハンドルユニット２１が支持されている。なお、ヘッドパイプ６、前記ステアリングシャフト及び一対のフロントフォーク１０によって、操舵機構Ｓの少なくとも一部が構成される。
【００６１】
スイングアーム７は、メインフレーム５の後部に回転自在に取り付けられている。スイングアーム７の後端部には、後輪４が回転自在に取り付けられている。
【００６２】
シート８は、車両１における前後方向中央部分の上部に設けられている。フートレスト９は、車両１における前後方向中央部分の下部に設けられている。ライダーは、シート８に着座し、フートレスト９に足を乗せた状態で、左ハンドルユニット２０及び右ハンドルユニット２１をそれぞれ握る。これにより、ライダーは車両１の操舵を行うことができる。
【００６３】
一対のフロントフォーク１０は、左右一対の円筒状のアウターチューブ１１，１２と、円筒状のインナーチューブ１３，１４とを備えている。フロントフォーク１０において、アウターチューブ１１，１２は下部に位置し、インナーチューブ１３，１４は上部に位置する。これらのインナーチューブ１３，１４の各々の上端部には、左ハンドルユニット２０の左ハンドルホルダ２６及び右ハンドルユニット２１の右ハンドルホルダ２７が固定されている。
【００６４】
＜左ハンドルユニット＞
図３は、左ハンドルユニット２０の概略構成を示す図である。この図３は、左ハンドルユニット２０を車両１の上方から見た図である。図３に示すように、左ハンドルユニット２０は、左ハンドル２２と、クラッチレバー５０と、ブラケット５１と、左スイッチボックス５２と、グリップ部５３とを有する。
【００６５】
左ハンドル２２は、後述の右ハンドル２３とは分離されたセパレートハンドルである。すなわち、左ハンドル２２は、右ハンドル２３とは独立して、フロントフォーク１０のインナーチューブ１３の上端部に固定されている。
【００６６】
左ハンドル２２は、左ハンドルバー部２４（ハンドルバー部）と、左ハンドルホルダ２６とを有する。左ハンドルバー部２４及び左ハンドルホルダ２６は、一体に形成されている。
【００６７】
左ハンドルバー部２４は、長手方向の一方の端部（右端部）が左ハンドルホルダ２６に接続されている。すなわち、左ハンドルバー部２４は、左ハンドルホルダ２６から左方向に延びている。
【００６８】
左ハンドルホルダ２６は、円環状に形成されている。左ハンドルホルダ２６は、フロントフォーク１０のインナーチューブ１３の上端部が貫通した状態で、該上端部に固定されている。これにより、左ハンドル２２は、フロントフォーク１０のインナーチューブ１３の上端部に固定されている。
【００６９】
左ハンドル２２は、後述の右ハンドル２３の構成とは左右が逆である点以外、同様の構成を有する。
【００７０】
左ハンドルバー部２４には、ブラケット５１および左スイッチボックス５２が取り付けられている。クラッチレバー５０は、ブラケット５１を介して左ハンドル２２に回転可能に取り付けられている。すなわち、左ハンドル２２は、クラッチレバー５０、ブラケット５１及び左スイッチボックス５２を支持している。
【００７１】
ブラケット５１、左スイッチボックス５２及びグリップ部５３が、左ハンドル２２における取付部品である。
【００７２】
＜右ハンドルユニット＞
図４は、右ハンドルユニット２１の概略構成を示す図である。この図４は、右ハンドルユニット２１を車両１の上方から見た図である。図４に示すように、右ハンドルユニット２１は、右ハンドル２３と、ブレーキレバー５５と、ブレーキマスターシリンダ５６と、右スイッチボックス５７と、スロットルケース５８と、グリップ部５９とを有する。
【００７３】
右ハンドル２３は、左ハンドル２２とは分離されたセパレートハンドルである。すなわち、右ハンドル２３は、左ハンドル２２とは独立して、フロントフォーク１０のインナーチューブ１４の上端部に固定されている。
【００７４】
右ハンドル２３は、右ハンドルバー部２５（ハンドルバー部）と、右ハンドルホルダ２７とを有する。右ハンドルバー部２５及び右ハンドルホルダ２７は、一体に形成されている。
【００７５】
右ハンドルバー部２５は、長手方向の一方の端部（左端部）が右ハンドルホルダ２７に接続されている。すなわち、右ハンドルバー部２５は、右ハンドルホルダ２７から右方向に延びている。
【００７６】
右ハンドルホルダ２７は、円環状に形成されている。右ハンドルホルダ２７は、フロントフォーク１０のインナーチューブ１４の上端部が貫通した状態で、該上端部に固定されている。これにより、右ハンドル２３は、図６に示すように、フロントフォーク１０のインナーチューブ１４の上端部に固定されている。
【００７７】
右ハンドル２３の詳しい構成は後述する。なお、右ハンドル２３は、左ハンドル２２の構成とは左右が逆である点以外、同様の構成を有する。
【００７８】
図４に示すように、右ハンドルバー部２５には、ブレーキマスターシリンダ５６、右スイッチボックス５７及びスロットルケース５８が取り付けられている。ブレーキレバー５５は、ブレーキマスターシリンダ５６を介して右ハンドル２３に回転可能に取り付けられている。すなわち、右ハンドル２３は、ブレーキレバー５５、ブレーキマスターシリンダ５６、右スイッチボックス５７及びスロットルケース５８を支持している。
【００７９】
ブレーキマスターシリンダ５６、右スイッチボックス５７、スロットルケース５８及びグリップ部５９が、右ハンドル２３における取付部品である。
【００８０】
＜セパレートハンドル＞
図５は、右ハンドル２３（セパレートハンドル）を車体の上方且つ後方から見た斜視図である。なお、既述のとおり、左ハンドル２２及び右ハンドル２３は、構成が左右逆である点以外、同じ構成を有する。よって、以下では、右ハンドル２３についてのみ説明する。
【００８１】
図５に示すように、右ハンドル２３は、右ハンドルバー部２５と、右ハンドルホルダ２７とを有する。右ハンドルバー部２５及び右ハンドルホルダ２７は、炭素繊維を含む繊維シートが樹脂（例えば、エポキシ樹脂、ビニルエステル、フェノール樹脂、ポリアミド、ポリプロピレン、ポリフェニレンサルファイドなど。以下の説明における樹脂についても同様。）によって強化された炭素繊維強化樹脂により、一体に形成されている。前記繊維シートは、繊維を例えば編んだり固めたりすることによって、シート状（平面状）に形成された部材を意味する。
【００８２】
＜ハンドルバー部＞
右ハンドルバー部２５は、円筒状の部材である。右ハンドルバー部２５は、右ハンドルホルダ２７から右方向に延びている。すなわち、右ハンドルバー部２５は、長手方向の一方の端部である左端部が右ハンドルホルダ２７に接続されている。
【００８３】
右ハンドルバー部２５は、炭素繊維を含む繊維シートが径方向に積層された状態で、樹脂によって結合されている。すなわち、右ハンドルバー部２５は、樹脂が炭素繊維によって強化された炭素繊維強化樹脂によって構成されている。
【００８４】
右ハンドルバー部２５の外周面上には、ブレーキマスターシリンダ５６、右スイッチボックス５７、スロットルケース５８及びグリップ部５９が取り付けられている。具体的には、右ハンドルバー部２５の長手方向の中央部よりも右部分は、グリップ部５９によって覆われている。右ハンドルバー部２５の長手方向の中央部よりも右ハンドルホルダ２７に近い位置には、ブレーキマスターシリンダ５６、右スイッチボックス５７及びスロットルケース５８が取り付けられている。
【００８５】
上述のように、右ハンドルバー部２５において、繊維シートを径方向に積層することにより、右ハンドルバー部２５に取り付けられる各部品の重量及び右ハンドルバー部２５に入力された力に対して、右ハンドルバー部２５の強度を確保できる。
＜ハンドルホルダ＞
右ハンドルホルダ２７は、円環状の部材である。図６に示すように、右ハンドルホルダ２７は、後述の筒部３３をフロントフォーク１０のインナーチューブ１４の上端部が貫通した状態で、該上端部に固定されている。
【００８６】
詳しくは、図５に示すように、右ハンドルホルダ２７は、ホールド部３１（ハンドルバー取付部）と、筒部３３と、ハンドルバー連結部３４とを備える。
【００８７】
筒部３３は、本実施形態では、筒軸方向（軸方向）に延びる円筒状の筒本体部３５と、筒本体部３５から径方向外方に向かって突出する一対の締結部３６，３７とを有する。筒本体部３５には、周方向の少なくとも１箇所（本実施形態では１箇所）に、前記筒軸方向に延びるスリット部３２が設けられている。スリット部３２は、筒本体部３５における前記筒軸方向の一方の端部から他方の端部まで延びている。これにより、筒本体部３５は、スリット部３２によって、周方向に分断されている。筒本体部３５において、スリット部３２に面する周方向の端部が、周方向端部３３ａ，３３ｂである。すなわち、一対の周方向端部３３ａ，３３ｂの間に、スリット部３２が形成されている。
【００８８】
一対の締結部３６，３７は、一対の周方向端部３３ａ，３３ｂに、それぞれ、筒本体部３５の径方向外方に向かって突出するように設けられている。すなわち、筒部３３は、スリット部３２の左方及び右方に周方向に並んで設けられた一対の締結部３６，３７を有する。一対の締結部３６，３７は、筒本体部３５と一体に形成されている。
【００８９】
図８に示すように、一対の締結部３６，３７のうち、一方の締結部３６は、内部に筒状のナット３８（被締結部材）を有する。ナット３８は、筒本体部３５を前記筒軸方向から見て筒本体部３５の外周面に対する接線の方向に、軸線が延びるように、一方の締結部３６内に配置されている。すなわち、ナット３８の軸線は、筒本体部３５の外周面上において一対の締結部３６，３７が並ぶ方向に延びている。
【００９０】
一対の締結部３６，３７のうち、他方の締結部３７は、貫通孔３７ａを有する。この貫通孔３７ａは、他方の締結部３７に対し、筒本体部３５を前記筒軸方向から見て筒本体部３５の外周面に対する接線の方向に貫通している。すなわち、貫通孔３７ａの軸線は、前記接線方向に延びている。
【００９１】
ナット３８及び貫通孔３７ａは、それらの軸線が一致するように、一対の締結部３６，３７に設けられている。
【００９２】
上述の構成において、一対の締結部３６，３７のうち他方の締結部３７の貫通孔３７ａを貫通させたボルト３９（締結部材）を、一方の締結部３６に設けられたナット３８に締結させることにより、一対の締結部３６，３７を連結することができる。一対の締結部３６，３７は、筒本体部３５をフロントフォーク１０のインナーチューブ１４の上端部が貫通した状態で、連結される。これにより、右ハンドルホルダ２７を、インナーチューブ１４の上端部に固定できる。
【００９３】
上述のように一対の締結部３６，３７を連結することにより、一対の締結部３６，３７を連結しない場合に比べて、筒本体部３５の周方向端部３３ａ，３３ｂ同士を近づけることができる。これにより、筒部３３には、周方向に引張応力が生じる。
【００９４】
また、上述のようにボルト３９によって一対の締結部３６，３７を連結した際、一対の締結部３６，３７は、先端部が密着するように曲げ変形を生じる。そのため、一対の締結部３６，３７の基端部に曲げ応力が生じる。すなわち、一対の締結部３６，３７の基端部には、引張応力が生じる。
【００９５】
筒本体部３５は、炭素繊維を含む繊維シートが径方向に積層された状態で、樹脂によって結合されている。すなわち、筒本体部３５は、樹脂が炭素繊維によって強化された炭素繊維強化樹脂によって構成されている。
【００９６】
上述のように、筒本体部３５において、繊維シートを径方向に積層することにより、筒本体部３５の周方向の強度を向上できる。これにより、一対の締結部３６，３７を連結した際に筒本体部３５に周方向に生じる引張応力に対して、筒本体部３５の強度を確保できる。
【００９７】
一対の締結部３６，３７では、それぞれ、炭素繊維を含む繊維シートが内部から外方に向かって積層された状態で、樹脂によって結合されている。すなわち、一対の締結部３６，３７は、それぞれ、樹脂が炭素繊維によって強化された炭素繊維強化樹脂によって構成されている。
【００９８】
一対の締結部３６，３７の前記繊維シートは、筒本体部３５の前記繊維シートと一体である。すなわち、一対の締結部３６，３７の繊維強化樹脂を構成する繊維シートは、筒部３３の繊維強化樹脂を構成する繊維シートの一部である。
【００９９】
なお、一方の締結部３６では、ナット３８に対して繊維シートが積層されている。ナット３８は、筒部３３を構成する炭素繊維強化樹脂に含まれる繊維シートによって巻かれた状態で、樹脂によって筒部３３に結合されている。これにより、ナット３８を筒部３３に強固に固定できる。
【０１００】
上述のように、一対の締結部３６，３７の繊維シートと筒本体部３５の繊維シートとを一体にすることにより、一対の締結部３６，３７と筒本体部３５との接続部分の強度を向上できる。よって、一対の締結部３６，３７における基端部の強度を向上できる。これにより、一対の締結部３６，３７を連結した際に、一対の締結部３６，３７における基端部と筒本体部３５との接続部分に生じる引張応力に対して、前記接続部分の強度を確保できる。
【０１０１】
ホールド部３１は、右ハンドルバー部２５の一端部（左端部）を挿入可能な凹部（図示省略）を有する。すなわち、ホールド部３１は、円柱状の右ハンドルバー部２５を保持可能に構成されている。ホールド部３１は、右ハンドルバー部２５の長手方向が、筒本体部３５を前記筒軸方向から見て筒本体部３５の外周面に対する接線の方向と一致するように、筒本体部３５の外方で右ハンドルバー部２５を支持する。ここで、右ハンドルバー部２５の長手方向が、筒本体部３５を前記筒軸方向から見て筒本体部３５の外周面に対する接線の方向と一致するとは、完全に一致する場合だけでなく、筒本体部３５を前記筒軸方向から見て、右ハンドルバー部２５の長手方向と前記接線とのなす角度が４５度以下の場合も含む。
【０１０２】
ホールド部３１は、炭素繊維を含む繊維シートが、右ハンドルバー部２５の軸線方向に対して垂直な方向に積層された状態で、樹脂によって結合されている。すなわち、ホールド部３１は、樹脂が炭素繊維によって強化された炭素繊維強化樹脂によって構成されている。
【０１０３】
これにより、右ハンドルバー部２５に対する力の入力によってホールド部３１に生じる応力に対して、ホールド部３１の強度を確保できる。
【０１０４】
図５に示すように、ハンドルバー連結部３４は、筒部３３とホールド部３１とを連結する。すなわち、ハンドルバー連結部３４は、筒本体部３５の外周面から径方向外方に突出している。ハンドルバー連結部３４は、筒本体部３５の径方向（筒軸に直交する方向）から見て、ホールド部３１が筒本体部３５と重なるように設けられている。
【０１０５】
ハンドルバー連結部３４は、炭素繊維を含む繊維シートが、ハンドルバー連結部３４及びホールド部３１が連結される部分とハンドルバー連結部３４及び筒本体部３５が連結される部分とを結ぶ仮想線４０に対して垂直な方向に積層された状態で、樹脂によって結合されている。すなわち、ハンドルバー連結部３４は、樹脂が炭素繊維によって強化された炭素繊維強化樹脂によって構成されている。なお、前記連結される部分とは、連結される部分を連結方向から見た場合の中央部分を意味する。
【０１０６】
本実施形態では、ハンドルバー連結部３４は、内部まで炭素繊維強化樹脂によって構成された、いわゆる中実構造を有する。
【０１０７】
以上のようにハンドルバー連結部３４を炭素繊維強化樹脂によって構成することにより、右ハンドルバー部２５に対する力の入力によってハンドルバー連結部３４に生じる応力に対して、ハンドルバー連結部３４の強度を確保できる。
【０１０８】
本実施形態では、右ハンドルホルダ２７を、炭素繊維が樹脂によって強化された炭素繊維強化樹脂によって構成することにより、車両を大型化することなく、車体の軽量化を図れる。
【０１０９】
しかも、右ハンドルホルダ２７を、炭素繊維が樹脂によって強化された炭素繊維強化樹脂によって構成することにより、右ハンドルホルダ２７の各部分で必要な強度を確保できる。
【０１１０】
例えばブレーキ操作によって右ハンドルバー部２５に入力が加わった際に、筒部に３３対して、右ハンドルバー部２５を保持するホールド部３１を中心に車両前方または車両後方に回転する力が加わる。このような回転力によって、筒本体部３５には周方向に引張応力が生じる。これに対し、筒本体部３５において、炭素繊維を含む繊維シートを径方向に積層することにより、周方向の強度を向上できる。よって、ブレーキ操作時に筒本体部３５に生じる引張応力に対して、筒本体部３５の強度を確保できる。
【０１１１】
以上では、右ハンドル２３の構成について説明したが、左ハンドル２２も、構成が左右逆である点以外、右ハンドル２３と同様の構成を有する。よって、左ハンドル２２の構成によっても、右ハンドル２３と同様の作用効果が得られる。
【０１１２】
（実施形態２）
図７に、実施形態２に係る右ハンドル１２３の構成を示す。図７は、右ハンドル１２３を車両１の上方且つ後方から見た斜視図である。この実施形態における右ハンドル１２３は、筒本体部３５の径方向から見て、ホールド部１３１の少なくとも一部が筒本体部３５の筒軸方向の外方に位置するとともに、ハンドルバー連結部１３４が筒本体部３５の前記筒軸方向の外方に延びているという点で実施形態１の右ハンドル２３の構成とは異なる。以下では、実施形態１の構成と同様の構成については同一の符号を付して説明を省略し、実施形態１の構成と異なる部分についてのみ説明する。
【０１１３】
なお、本実施形態でも、実施形態１と同様、右ハンドル及び左ハンドルは、構成が左右逆である点を除いて、同一の構成を有する。よって、以下では、右ハンドルについてのみ説明する。
【０１１４】
右ハンドル１２３は、右ハンドルバー部２５と、右ハンドルホルダ１２７とを有する。右ハンドルホルダ１２７は、筒部３３と、ホールド部１３１と、ハンドルバー連結部１３４とを備える。
【０１１５】
ホールド部１３１は、円柱状である。ホールド部１３１は、筒本体部３５の外方で且つ筒本体部３５に対して前記筒軸方向にオフセットした位置に設けられている。すなわち、ホールド部１３１の少なくとも一部は、筒本体部３５の径方向から見て、筒本体部３５の前記筒軸方向の外方に位置する。
【０１１６】
ホールド部１３１は、炭素繊維を含む繊維シートが右ハンドルバー部２５の軸線方向に対して垂直な方向に積層された状態で、樹脂によって結合されている。すなわち、ホールド部１３１は、樹脂が炭素繊維によって強化された炭素繊維強化樹脂によって構成されている。
【０１１７】
これにより、右ハンドルバー部２５に対する力の入力によってホールド部１３１に生じる応力に対して、ホールド部１３１の強度を確保できる。
【０１１８】
ハンドルバー連結部１３４は、筒本体部３５の外周面とホールド部１３１とを連結する。よって、ハンドルバー連結部１３４は、筒本体部３５の外周面から径方向外方に突出し且つ筒本体部３５の前記筒軸方向に延びている。すなわち、ハンドルバー連結部１３４は、筒部３３から前記筒軸方向の外方に延びている。
【０１１９】
ハンドルバー連結部１３４は、炭素繊維を含む繊維シートが、ハンドルバー連結部１３４及びホールド部１３１が連結される部分の中心とハンドルバー連結部１３４及び筒部３３が連結される部分の中心とを結ぶ仮想線１４０に対して垂直な方向に積層された状態で、樹脂によって結合されている。すなわち、ハンドルバー連結部１３４は、樹脂が炭素繊維によって強化された炭素繊維強化樹脂によって構成されている。なお、前記連結される部分の中心とは、連結される部分を連結方向から見た場合の中心である。
【０１２０】
本実施形態でも、実施形態１と同様、ハンドルバー連結部１３４は、内部まで炭素繊維強化樹脂によって構成された、いわゆる中実構造を有する。
【０１２１】
以上のようにハンドルバー連結部１３４を炭素繊維強化樹脂によって構成することにより、右ハンドルバー部２５に対する力の入力によってハンドルバー連結部１３４に生じる応力に対して、ハンドルバー連結部１３４の強度を確保できる。
【０１２２】
本実施形態では、ハンドルバー連結部１３４が筒本体部３５から前記筒軸方向に突出することにより、右ハンドル１２３の配置の設計自由度を高めることができる。したがって、本実施形態の構成により、車両を大型化することなく、車体の軽量化を図りつつ、ハンドルの配置の設計自由度を高めることができる。
【０１２３】
以上では、右ハンドル１２３の構成について説明したが、左ハンドルも、構成が左右逆である点以外、右ハンドル１２３と同様の構成を有する。よって、左ハンドルの構成によっても、右ハンドル１２３と同様の作用効果が得られる。
【０１２４】
（実施形態３）
図９は、実施形態１における右ハンドル２３をフロントフォーク１０に取り付けた状態で車両１の後方から見た模式図である。本実施形態では、右ハンドルホルダ２７がトップブリッジ１５の下方でフロントフォーク１０に嵌合されている。
【０１２５】
なお、本実施形態でも、実施形態１と同様、右ハンドル及び左ハンドルは、構成が左右逆である点を除いて、同一の構成を有する。よって、以下では、右ハンドルについてのみ説明する。
【０１２６】
図９に示すように、右ハンドルホルダ２７をトップブリッジ１５の下方でフロントフォーク１０に嵌合することにより、車両を大型化することなく、車体の軽量化を図りつつ、左ハンドルユニット及び、右ハンドルユニットの位置の設計自由度を高めることができる。
【０１２７】
（その他の実施形態）
以上、本発明の実施の形態を説明したが、上述した実施の形態は本発明を実施するための例示に過ぎない。よって、上述した実施の形態に限定されることなく、その趣旨を逸脱しない範囲内で上述した実施の形態を適宜変形して実施することが可能である。
【０１２８】
前記各実施形態では、車両は自動二輪車である。しかしながら、車両は、自動二輪に限らず、三輪車または四輪車であってもよい。また、前記車両は、傾斜車両に限らず、傾斜車両以外の車両であってもよい。
【０１２９】
前記各実施形態では、右ハンドルホルダ２７の筒部３３に設けられているスリット部は１箇所である。しかしながら、筒部に、周方向に複数のスリット部を設けてもよい。
【０１３０】
前記各実施形態では、左ハンドルユニット２０及び右ハンドルユニット２１は、テレスコピック式のフロントフォーク１０に取り付けられている。しかしながら、左ハンドルユニット及び右ハンドルユニットは、例えばトップブリッジなど、フロントフォーク以外の部品に取り付けられていてもよい。
【０１３１】
前記各実施形態では、フロントフォーク１０として、いわゆる正立フォークを例示しているが、フロントフォークはいわゆる倒立フォークであってもよい。
【０１３２】
なお、前記正立フォークとは、テレスコピック型サスペンションユニットの一種であり、インナーチューブが上方に位置し、アウターチューブが下方に位置するサスペンションユニットである。
【０１３３】
また、前記倒立フォークとは、テレスコピック型サスペンションユニットの一種であり、インナーチューブが下方に位置し、アウターチューブが上方に位置するサスペンションユニットである。
【０１３４】
前記各実施形態では、フロントタイヤ懸掛方式として、テレスコピック式サスペンションユニットであるフロントフォーク１０が用いられている。しかしながら、フロントタイヤ懸掛方式として、フロントフォークの代わりに、リンク式サスペンションユニット、または、スイングアーム式サスペンションユニットなどを用いてもよい。
【０１３５】
前記各実施形態では、右ハンドル２３，１２３及び左ハンドル２２は、炭素繊維を用いた炭素繊維強化樹脂によって構成されている。しかしながら、右ハンドル及び左ハンドルにおいて、右ハンドルバー部及び左ハンドルバー部は、金属または樹脂など、他の材料によって構成されていてもよい。また、右ハンドル及び左ハンドルに用いられる繊維強化樹脂の繊維シートとして、カーボン以外の繊維、例えば、アラミド、ガラス、セルロースなどが用いられてもよい。また、繊維強化樹脂に用いられる複数の繊維シートは、異なる材質によって構成されていてもよい。さらに、右ハンドル及び左ハンドルに用いられる繊維強化樹脂の樹脂は、繊維を結合可能な樹脂であれば、どのような種類の樹脂であってもよい。
【０１３６】
前記各実施形態では、右ハンドル２３，１２３及び左ハンドル２２は、樹脂が炭素繊維を含む繊維シートによって強化された炭素繊維強化樹脂によって構成されている。しかしながら、右ハンドル及び左ハンドルは、繊維シートではなく、編まれていない状態の繊維が用いられた繊維強化樹脂によって形成されていてもよい。また、前記繊維は、所定長さ（例えば１ｍｍ）以上、連続した繊維であってもよいし、不連続繊維であってもよい。
【０１３７】
前記各実施形態では、右ハンドル２３，１２３及び左ハンドル２２は、樹脂が炭素繊維を含む繊維シートによって強化された炭素繊維強化樹脂によって構成されている。しかしながら、右ハンドル及び左ハンドルは、繊維シートによって強化された炭素繊維強化樹脂層と、発泡合成樹脂を含む発泡樹脂層とが厚み方向に積層された複合材料によって形成されていてもよい。この複合材料は、一対の前記炭素繊維強化樹脂層を有し、それらの炭素繊維強化樹脂層の間に、前記発泡樹脂層が配置された材料である。前記複合材料を用いて構造体を形成することにより、炭素繊維強化樹脂層のみを用いて構造体を形成する場合に比べて軽量化を図れるとともに、構造体の壁の厚みを容易に変えることができる。なお、前記発泡樹脂層の前記発泡合成樹脂として、振動を吸収可能な樹脂を用いてもよい。
【０１３８】
前記各実施形態では、ハンドルバー連結部３４，１３４は、中実構造を有する。しかしながら、ハンドルバー連結部は、中空構造を有していてもよいし、多面体構造体を含んでいてもよい。多面体構造とは、一般的に、ハニカム構造体、四角柱体、三角柱体、ウィア＝フェラン構造体、切頂八面体構造体、菱形十二面体構造体、連続気泡体構造体、独立気泡体構造体等の二次元的または三次元的な立体構造を意味するが、これらの例示に限らず、複数の面を有する構造体を含む。なお、気泡体構造体は、連続気泡体構造体でもよいし、独立気泡体構造体でもよい。また、前記多面体構造体の材質は、繊維強化樹脂に限らない。
【０１３９】
前記各実施形態では、左ハンドルバー部２４及び右ハンドルバー部２５は、ハンドルバー連結部３４，１３４と別体で構成されている。しかしながら、左ハンドルバー部及び右ハンドルバー部の少なくとも一方が、ハンドルバー連結部と一体で構成されていてもよい。
【０１４０】
前記各実施形態では、左ハンドルバー部２４及び右ハンドルバー部２５は、円筒状の中空である。しかしながら、左ハンドルバー部及び右ハンドルバー部の少なくとも一方は、取付部品の取り付け位置において、少なくとも一部が中実であってもよい。これにより、前記取り付け位置におけるハンドルバー部の強度を向上できる。また、左ハンドルバー部及び右ハンドルバー部の少なくとも一方は、取付部品の取り付け位置以外において、少なくとも一部が中空であってもよい。これにより、前記取り付け位置におけるハンドルバー部の強度を確保しつつ、ハンドルの軽量化を図ることができる。
【符号の説明】
【０１４１】
１  車両（鞍乗型車両）
２  車体
５  メインフレーム
６  ヘッドパイプ
１０  フロントフォーク（軸部）
１１、１２  アウターチューブ
１３、１４  インナーチューブ
１５  トップブリッジ
２０  左ハンドルユニット
２１  右ハンドルユニット
２２  左ハンドル
２３、１２３  右ハンドル
２４  左ハンドルバー部（ハンドルバー部）
２５  右ハンドルバー部（ハンドルバー部）
２６  左ハンドルホルダ
２７、１２７  右ハンドルホルダ
３１、１３１  ホールド部（ハンドルバー取付部）
３２  スリット部
３３  筒部
３４、１３４  ハンドルバー連結部
３５  筒本体部
３６、３７  締結部
３８  ナット（被締結部材）
３９  ボルト（締結部材）
４０、１４０  仮想線
５０  クラッチレバー
５１  ブラケット（取付部品）
５２  左スイッチボックス（取付部品）
５３  グリップ部（取付部品）
５５  ブレーキレバー
５６  マスタシリンダ（取付部品）
５７  右スイッチボックス（取付部品）
５８  スロットルケース（取付部品）
５９  グリップ部（取付部品）
Ｓ  操舵機構
【図１】
2018221223.tif 000003
【図２】
2018221223.tif 000004
【図３】
2018221223.tif 000005
【図４】
2018221223.tif 000006
【図５】
2018221223.tif 000007
【図６】
2018221223.tif 000008
【図７】
2018221223.tif 000009
【図８】
2018221223.tif 000010
【図９】
2018221223.tif 000011
【図１０】
2018221223.tif 000012
【国際調査報告】
2018221223.tif 000013
2018221223.tif 000014
2018221223.tif 000015
2018221223.tif 000016